(57)【要約】      （修正有）【課題】外反拇趾用の中敷き及び履物は、外反拇趾により変形している第１趾の関節に負荷をかけないように足裏に当接する一部分に凸部を形成するものが多かった。【解決手段】中敷き及び中敷きの形状を用いた中底の下面には、拇指球ａと小指球ｅに相当する部位の略中間地点を最頂部とした略円錐状の膨らみ２を有し、中敷き及び中敷きの形状を用いた中底の外縁に向かうに従い徐々に薄くなるように形成され、中敷き及び中敷きの形状を用いた中底の拇指球ａに相当する部位には湾曲した凹部３′を形成する。【選択図】図８
2016214809.tif 000002
【特許請求の範囲】
【請求項１】
履物に装着する中敷き及び前記中敷きの形状を用いた中底を有する履物であって、
前記中敷き及び前記中敷きの形状を用いた中底の下面には、拇指球と小指球に相当する部位の略中間地点を最頂部とした略円錐状の膨らみを有し、前記中敷き及び前記中敷きの形状を用いた中底の外縁に向かうに従い徐々に薄くなるように形成され、前記中敷き及び前記中敷きの形状を用いた中底の拇指球に相当する部位には湾曲した凹部を形成することを特徴とする外反拇趾用中敷き及び履物。
【請求項２】
前記中敷き及び前記中敷きの形状を用いた履物の中底の下面に形成する最頂部は、第２中足骨頭並びに第３中足骨頭に相当する部位近傍に形成することを特徴とする請求項１に記載の外反拇趾用中敷き及び履物。
【発明の詳細な説明】
【技術分野】
【０００１】  本発明は、外反拇趾や内反小趾の足趾の変形により、歩行時に足裏に痛みが生じることを抑制し、歩行が円滑に行える中敷き及び該中敷を装着した履物に関するものである。
【背景技術】
【０００２】  従来の外反拇趾用の中敷き及び履物は、外反拇趾により変形している第１趾の関節に負荷をかけないように足裏に当接する一部分に凸部を形成するものが多かった。
【先行技術文献】
【特許文献】
【０００３】
【特許文献１】  特願２００４−１２２４０５号広報
【発明の概要】
【発明が解決しようとする課題】
【０００４】  特許文献１に記載の履物のインソール構造は、Ｏ脚や変形性膝関節症の方が歩行する場合でも、スムーズな歩行が行える履物のインソール構造となっている。【０００５】  本発明は、外反拇趾や内反小趾により歩行が苦痛な人のための中敷き及び該中敷きを装着した履物を提供する。
【課題を解決するための手段】
【０００６】  請求項１に記載の本発明の外反拇趾用中敷き及び履物は、履物に装着する中敷き及び前記中敷きの形状を用いた中底を有する履物であって、中敷き及び前記中敷きの形状を用いた中底の下面には、拇指球と小指球に相当する部位の略中間地点を最頂部とした略円錐状の膨らみを有し、中敷き及び前記中敷きの形状を用いた中底の外縁に向かうに従い徐々に薄くなるように形成され、中敷き及び前記中敷きの形状を用いた中底の拇指球に相当する部位には湾曲した凹部を形成することを特徴とする。【０００７】  請求項２に記載の本発明の外反拇趾用中敷き及び履物は、中敷き及び前記中敷きの形状を用いた履物の中底の下面に形成する最頂部は、第２中足骨頭並びに第３中足骨頭に相当する部位近傍に形成することを特徴とする。
【発明の効果】
【０００８】  請求項１に記載の本発明の外反拇趾用中敷き及び履物は、中敷き及び履物の中底の下面に略円錐状の膨らみを有することで、足を踏み込んだ際に略円錐状の膨らみが反床力によって圧迫され、膨らみの体積分上へ押し上げられる構造となっている。これにより、横のアーチを押し上げ拇指球と小指球にかかる負担を軽減できるという効果を発揮する。また、従来の外反拇趾用の中敷きは、上面に突起物を形成しているものが多く、外反拇趾の症状を有する方にとっては足裏に違和感を覚えるとともに痛みを助長するものだった。これを中敷きの下面に形成することで足裏に伝わる違和感を軽減し、更に床からの反発を柔らげ、痛みを抑制することができるという効果を発揮する。また、拇指球に相当する部位に湾曲させた凹部を形成することで、拇指球と床との間に隙間ができ、床からの反発が直接拇指球に届くのを軽減することができるという効果を発揮するものである。【０００９】  請求項２に記載の外反拇趾用中敷き及び履物は、中敷き及び中底の下面に形成する最頂部を第二中足骨頭並びに第三中足骨頭に相当する部位近傍に形成することにより、外反拇趾、内反小趾の原因ともいえる横アーチの崩れを抑制するとともに、外反拇趾、内反小趾によって歩行時に痛む足裏の痛みを軽減できるという効果を発揮する。また、第二中足骨頭並びに第三中足骨頭に相当する部位周辺に最頂部を有することで、拇指球側と小指球側に遊びができ、親指側と小指側の窮屈さを軽減できるとともに足の指が広がりやすくなるという効果を発揮するものである。
【図面の簡単な説明】
【００１０】
【図１】  本発明の外反拇趾用中敷き及び履物の、中敷きの正面図である。
【図２】  本発明の外反拇趾用中敷き及び履物の、中敷きの背面図である。
【図３】  本発明の外反拇趾用中敷き及び履物の、中敷きの左側面図である。
【図４】  本発明の外反拇趾用中敷き及び履物の、中敷きの右側面図である。
【図５】  本発明の外反拇趾用中敷き及び履物の、中敷きの平面図である。
【図６】  本発明の外反拇趾用中敷き及び履物の、中敷きの底面図である。
【図７】  本発明の外反拇趾用中敷き及び履物の、中敷きに足を置き、踏み込む前の正面図である。
【図８】  本発明の外反拇趾用中敷き及び履物の、中敷きに足を置き、踏み込んだ時の正面図である。
【図９】  本発明の外反拇趾用中敷き及び履物の中敷きのＡ−Ａ線断面図である。
【図１０】  本発明の外反拇趾用中敷き及び履物の、中敷きに足を置いた時のイメージ図である。
【発明を実施するための形態】
【００１１】  以下、本発明を図面に示す実施形態図１〜図１０に基づき説明をする。ただし、以下の実施するための形態は、本発明の外反拇趾用中敷きおよび履物の一例として説明するものであり、この説明の図の項に限定されるものではない。
【００１２】  図１は、本発明の外反拇趾用中敷き及び履物の、中敷きの正面図である。中敷き本体１、略円錐状の膨らみ２、最頂部２′、湾曲した凹部３、３′、つま先側４の図から構成される。中敷き本体１の最大の特徴は、略円錐状に形成される膨らみ２、最頂部２′と湾曲した凹部３、３′である。略円錐状の膨らみ２は、親指の付け根の肉厚部分の通称拇指球と言われる部分と、小指の付けの肉厚部分の通称小指球と言われる部分の略中間点が最頂部２′となるように形成することができる。また、湾曲した凹部３′は、拇指球に相当する部位を凹ませることで他の部位より薄くなるように形成する。これにより、最頂部２′と凹部３′に高低差を生じさせることができ、拇指球が遊べるような隙間を作ることができ、拇指球と床面との接触度合いを軽減させることができる。拇指球と床面との接触度合いが少なくなることで拇指球にかかる床からの反発を軽減することができ、外反拇趾によって、歩行時に痛む足裏の苦痛を和らげることができるというものである。
【００１３】  図２は、本発明の外反拇趾用中敷き及び履物の、中敷き１の背面図である。略円錐形の膨らみ２、最頂部２′、湾曲した凹部３、３′、つま先側４の図から構成される。中敷き１のつま先側４は踵側５より薄く形成するが、つま先側４並びに踵側５の厚さは同一でもよい。
【００１４】  図３は、本発明の外反拇趾用中敷き及び履物の、中敷き１の左側面図である。略円錐状の膨らみ２、最頂部２′、湾曲した凹部３′、つま先側４、踵側５の図から構成される。湾曲した凹部３′とつま先側４は、中敷き１全体の中で最も薄く形成される部位である。最頂部２′は中敷き１全体の中で最も厚く形成され、等間隔に水平曲線を描くようにつま先側、中敷き１の外縁、土踏まず側に向かうに従い徐々に薄くなるように形成する。
【００１５】  図４は、本発明の外反拇趾用中敷き及び履物の、中敷き１の右側面図である。略円錐状の膨らみ２、最頂部２′、湾曲した凹部３′、つま先側４、踵側５の図から構成される。拇指球と床面が接触するのを軽減する部位が湾曲した凹部３′であり、略円錐状の膨らみ２、最頂部２′である。また、湾曲した凹部３′、つま先側４は同一の厚さに形成する。
【００１６】  図５は、本発明の外反拇趾用中敷き及び履物の、中敷き１の平面図である。中敷き本体１の図から構成される。中敷き本体１の上面は凹凸のない平面に形成される。また、踵側は踵の位置がずれないように目的によってはカップ状に形成することもできる。
【００１７】  図６は、本発明の外反拇趾用中敷き及び履物の、中敷き１の底面図である。略円錐状の膨らみ２、湾曲した凹部３、３′、つま先側４、踵側５、切断Ａ−Ａ線の図から構成される。湾曲した凹部３の湾曲の曲がりの度合いは、男性用、女性用によって、大きく湾曲する場合や小さく湾曲する場合があり、湾曲の度合いは対象年齢、用途などにより随意設定することができる。また、素材は低反発素材、高反発素材など対象年齢、用途、外反拇趾の症状などにより適宜使用することができる。
【００１８】  図７は、本発明の外反拇趾用中敷き及び履物の、中敷き１に足を置き踏み込む前の正面図である。
略円錐状の膨らみ２、湾曲した凹部３、３′、足の第１趾（親指）ａ、第２趾ｂ、第３趾ｃ、第４趾ｄ、第５趾（小指）ｅの図で構成される。足を踏み込む前は中敷き１の上面は平らな状態となっている。中敷き１の下面は最頂部２′があることで正面から見ると逆三角形の形状を表している。
【００１９】  図８は、本発明の外反拇趾用中敷き及び履物の、中敷き１に足を置き踏み込んだ時の正面図である。略円錐状の膨らみ２、湾曲した凹部３′、足の第１趾ａ、第２趾ｂ、第３趾ｃ、第４趾ｄ、第５趾ｅの図から構成される。略円錐状の膨らみ２は踏み込んだ時の体重の重さと床からの反発により圧縮された状態になる。ところが、中敷き１の内部では体積の釣り合いを保つために床よりも柔らかい足裏側に盛り上がろうとする。この原理を利用して、第１趾ａ、第５趾ｅは下方向に沈み、第２趾ｂ、第３趾ｃ、第４趾ｄは上に押し上げられ足指全体が横に広がる状態となる。この状態で歩行すると、拇指球と小指球に加わる圧力が抑制され、歩行時の足裏の痛みを軽減することができる。
【００２０】  人間の足裏は、拇指球から踵の間にある縦のアーチ、小指球と踵の間にある縦のアーチ、拇指球と小指球の間にある横のアーチから形成されている。この横のアーチが加齢や他の原因で落ちてくると外反拇趾や内反小趾といった足趾の変形が起こり、歩行するたびに足裏が痛むという症状が表れてくる。この横のアーチを図８のように中敷き１によって意図的に上に上げることで、歩行時の足裏の痛みを軽減することが可能となってくる。また、足指全体が横に広がることで、人間が本来が行ってきた足の指先の運動をすることができ、足の横アーチが崩れるために起こる外反拇趾や内反小趾の予防も期待できる。
【００２１】  図９は、本発明の外反拇趾用中敷き及び履物の、中敷き１のＡ−Ａ線断面図である。最頂部２′、つま先側４、踵側５の図から構成される。最頂部２′の厚さ及び位置は対象年齢、用途などに合わせて随意設定することができる。
【００２２】  図１０は、本発明の外反拇趾用中敷き及び履物の、中敷き１に足を置いた時のイメージ図である。最頂部２′、湾曲した凹部３、３′、最頂部２′の図から構成される。最頂部２′の位置は第２趾ｂ、第３趾ｃの間、中足骨頭近傍に形成することが望ましい。また、湾曲した凹部３は、各趾の基節骨底を境に湾を描くように形成し、また、拇指球に相当する部分は第１趾の中足骨底に沿うように湾曲させることが望ましい。湾曲した凹部３′は、拇指球に相当する部分につま先側と同様に薄く形成することが望ましい。
【産業上の利用可能性】
【００２３】  外反拇趾、内反小趾などの足趾の痛みを軽減する、予防する中敷き及び履物を提供する。
【符号の説明】
【００２４】  １  中敷き本体
２  略円錐状の膨らみ
２′  最頂部
３、３′  湾曲した凹部
４  つま先側
５  踵側
Ａ  断面切り取り線
ａ  第１趾
ｂ  第２趾
ｃ  第３趾
ｄ  第４趾
ｅ  第５趾
【図１】
2016214809.tif 000003
【図２】
2016214809.tif 000004
【図３】
2016214809.tif 000005
【図４】
2016214809.tif 000006
【図５】
2016214809.tif 000007
【図６】
2016214809.tif 000008
【図７】
2016214809.tif 000009
【図８】
2016214809.tif 000010
【図９】
2016214809.tif 000011
【図１０】
2016214809.tif 000012